(57)【要約】【課題】待機状態における光ディスクの劣化及びサーボ外れを低減することが可能な光ディスク装置を提供する。【解決手段】光ディスク装置１は、レーザー光を照射する半導体レーザー２１とレーザー光の戻り光を受光する受光部２４とを含む光ピックアップ部１１を有する。また、高周波信号を生成する高周波発生回路１２ａと、半導体レーザー２１を駆動する駆動信号を高周波信号に基づいて生成するピックアップ・ドライバー１２とを有する。また、レーザー光の照射が実施されつつ光ディスクの再生が停止されている状態において、重畳する高周波信号の信号レベルを、０を除く第１の信号レベルに設定して再生が行われている状態よりも小さくよう高周波発生回路１２ａを制御することができる制御部１６を有する。【選択図】図１
2014197440.tif 000002
【特許請求の範囲】
【請求項１】
レーザー光を照射するレーザー照射部、及び前記レーザー光の戻り光を受光する受光部を含む光ピックアップ部と、
高周波信号を生成する高周波生成部と、
所定の駆動信号に前記高周波生成部によって生成された高周波信号を重畳して、前記レーザー照射部を駆動する駆動信号を生成する駆動部と、
前記レーザー光の照射が実施されつつ光ディスクの再生が停止されている状態において、前記重畳する高周波信号の信号レベルを、０を除く第１の信号レベルに設定して前記再生が行われている状態よりも小さくするよう前記高周波生成部を制御することができる制御部と、を有すること
を特徴とする光ディスク装置。
【請求項２】
前記制御部は、前記レーザー光の照射が実施されつつ前記再生が停止されている状態において、前記重畳する高周波信号の信号レベルを、０に設定するよう前記高周波生成部を制御することもできること
を特徴とする、請求項１に記載の光ディスク装置。
【請求項３】
前記制御部は、前記レーザー光の照射が実施されつつ前記再生が停止されている状態において、前記重畳する高周波信号の信号レベルを、前記再生が停止されている時間の長さに応じて低減して高周波重畳を行うよう前記高周波生成部を制御すること
を特徴とする、請求項１または請求項２に記載の光ディスク装置。
【請求項４】
前記制御部は、前記レーザー光の照射が実施されつつ前記再生が停止されている状態において、前記重畳する高周波信号の信号レベルを、前記再生が停止されている前記光ディスクの種別またはレイヤーに応じて増減して高周波重畳を行うよう前記高周波生成部を制御すること
を特徴とする、請求項１〜請求項３のいずれかに記載の光ディスク装置。
【請求項５】
前記制御部は、前記レーザー光の照射が実施されつつ前記再生が停止されている状態において、前記重畳する高周波信号の信号レベルを、前記光ディスク装置の動作状態に応じて増減して高周波重畳を行うよう前記高周波生成部を制御すること
を特徴とする、請求項１〜請求項４のいずれかに記載の光ディスク装置。
【請求項６】
前記制御部は、前記レーザー光の照射が実施されつつ前記再生が停止されている状態において、前記重畳する高周波信号の信号レベルを低減した後に前記光ピックアップ部のサーボ外れを検知した場合に、前記重畳する高周波信号の信号レベルを増加して高周波重畳を行うよう前記高周波生成部を制御すること
を特徴とする請求項１〜請求項５のいずれかに記載の光ディスク装置。
【発明の詳細な説明】
【技術分野】
【０００１】
本発明は、光ディスクを再生する光ディスク装置に関する。
【背景技術】
【０００２】
近年、ＣＤ（Compact Disc）やＤＶＤ（Digital Versatile Disc）、ＢＤ（Blu-lay Disc：登録商標）といった光ディスクが普及し、一般的に用いられるようになっている。そして光ディスクに記録された情報、例えば音声情報や画像情報を読み出して記録／再生するための装置として、光ディスク装置が実用化されている。広く知られている光ディスク装置としては、例えばＣＤプレイヤ、ＤＶＤプレイヤ、ＢＤレコーダ、或いはパソコンに接続されるＣＤ−ＲＯＭドライブ等があげられる。
【０００３】
光ディスク装置は、光ディスクに対してレーザー光を照射して情報の読み取りを行うための光ピックアップを備えている。光ピックアップは、ターンテーブル上に固定されて回転している光ディスクの情報記録面に対してレーザー光を照射するレーザーダイオードを有する。
【０００４】
また光ピックアップは、情報記録面からの反射光を受光するための光検出器、例えばフォトダイオードを有する。光ピックアップは、光検出器により光を電気信号に変換して出力する。
【０００５】
光ディスクから正確に情報を読み取るためには、レーザー光の光軸を光ディスク上に形成されたピット列の中心に追随させるトラッキング処理を行う必要がある。これをなすために光ピックアップ装置内には、対物レンズを光ディスクの径方向に駆動させるためのアクチュエーターと、アクチュエーターの制御を行うトラッキングサーボとが備えられている。
【０００６】
このような光ディスク装置において、光ピックアップからの信号の品質を改善し、サーボ性能を向上させるために、レーザー光を照射するレーザーダイオードの駆動信号に高周波信号を重畳させる技術が実用化されている。
【０００７】
しかしながら光ディスクに対する高周波のレーザー照射は、光ディスクの劣化につながる。特に、ディスクアクセス中に一時停止され、待機状態が長時間続いた場合、高周波のレーザーが常に照射され、光ディスクの劣化が急激に進むという問題があった。
【０００８】
上記の技術に関連して、アイドルモードにおいて高周波重畳をオフすることにより、再生光耐力を確保する光ディスク装置が開示・提案されている（例えば特許文献１を参照）。
【先行技術文献】
【特許文献】
【０００９】
【特許文献１】特開２０１１−１５９３５３号公報
【発明の概要】
【発明が解決しようとする課題】
【００１０】
しかしながら上記で開示されている技術では、光ディスクの劣化を低減することはできるが、高周波重畳を完全に停止させるため、サーボ特性が低下する。このため、待機状態（＝アイドルモード）においてサーボ外れが発生し続ける可能性があった。
【００１１】
本発明の目的は、待機状態における光ディスクの劣化及びサーボ外れを低減することが可能な光ディスク装置を提供することにある。
【課題を解決するための手段】
【００１２】
上記目的を達成するために本発明の光ディスク装置は、レーザー光を照射するレーザー照射部、及び前記レーザー光の戻り光を受光する受光部を含む光ピックアップ部と、高周波信号を生成する高周波生成部と、所定の駆動信号に前記高周波生成部によって生成された高周波信号を重畳して、前記レーザー照射部を駆動する駆動信号を生成する駆動部と、前記レーザー光の照射が実施されつつ光ディスクの再生が停止されている状態において、前記重畳する高周波信号の信号レベルを、０を除く第１の信号レベルに設定して前記再生が行われている状態よりも小さくするよう前記高周波生成部を制御することができる制御部と、を有することを特徴としている。
【００１３】
この構成によると、ディスク挿入後のメニュー画面での待機状態、ユーザーによる一時停止状態や、またはリジューム停止状態等において、光ディスクの劣化を低減することができる。また、これらの状態においてサーボオフやレーザーオフを行う構成と比較して、短時間で再生処理へ移行することができる。すなわち、待機状態における光ディスクの劣化及びサーボ外れを低減することができる。
【００１４】
また本発明の光ディスク装置は、前記制御部が、前記レーザー光の照射が実施されつつ前記再生が停止されている状態において、前記重畳する高周波信号の信号レベルを、０に設定するよう前記高周波生成部を制御することもできる構成にするとよい。
【００１５】
この構成によると、待機状態におけるサーボ外れを低減することよりも、待機状態における光ディスクの劣化を低減することを優先することができる。
【００１６】
また本発明の光ディスク装置は、前記制御部が、前記レーザー光の照射が実施されつつ前記再生が停止されている状態において、前記重畳する高周波信号の信号レベルを、前記再生が停止されている時間の長さに応じて低減して高周波重畳を行うよう前記高周波生成部を制御する構成にするとよい。
【００１７】
この構成によると、再生が停止されている時間が短時間である場合は待機状態におけるサーボ外れを低減することを優先し、再生が停止されている時間が長くなるほど待機状態における光ディスクの劣化を低減することをより優先することができる。
【００１８】
また本発明の光ディスク装置は、前記制御部が、前記レーザー光の照射が実施されつつ前記再生が停止されている状態において、前記重畳する高周波信号の信号レベルを、前記再生が停止されている前記光ディスクの種別またはレイヤーに応じて増減して高周波重畳を行うよう前記高周波生成部を制御する構成にするとよい。
【００１９】
この構成によると、リード用レーザーによる記録面の劣化が発生しやすい光ディスクやレイヤーでは、待機状態における光ディスクの劣化を低減することを優先し、リード用レーザーによる記録面の劣化が発生しにくい光ディスクやレイヤーでは、待機状態におけるサーボ外れを低減することを優先することができる。
【００２０】
また本発明の光ディスク装置は、前記制御部が、前記レーザー光の照射が実施されつつ前記再生が停止されている状態において、前記重畳する高周波信号の信号レベルを、前記光ディスク装置の動作状態に応じて増減して高周波重畳を行うよう前記高周波生成部を制御する構成にするとよい。
【００２１】
この構成によると、光ディスクの劣化が大きくなるおそれのある動作状態（例えば、待機状態における強制解除までの時間が長い動作状態）ほど、待機状態における光ディスクの劣化を低減することを優先することができる。
【００２２】
また本発明の光ディスク装置は、前記制御部が、前記レーザー光の照射が実施されつつ前記再生が停止されている状態において、前記重畳する高周波信号の信号レベルを低減した後に前記光ピックアップ部のサーボ外れを検知した場合に、前記重畳する高周波信号の信号レベルを増加して高周波重畳を行うよう前記高周波生成部を制御する構成にするとよい。
【００２３】
この構成によると、サーボ外れが発生した場合に、待機状態におけるサーボ外れを低減することを優先することができる。
【発明の効果】
【００２４】
本発明によれば、待機状態における光ディスクの劣化を低減するとともに、待機状態におけるサーボ外れを回避することが可能である。
【図面の簡単な説明】
【００２５】
【図１】本発明の一実施形態に係る光ディスク装置の構成を示すブロック図である。
【図２】通常時のリード用レーザーの発光量を示す波形図である。
【図３】重畳１／２時のリード用レーザーの発光量を示す波形図である。
【図４】重畳オフ時のリード用レーザーの発光量を示す波形図である。
【図５】通常時の２４時間照射後のエラーレイトを示す模式図である。
【図６】重畳１／２時の２４時間照射後のエラーレイトを示す模式図である。
【図７】重畳オフ時の２４時間照射後のエラーレイトを示す模式図である。
【図８】重畳量の設定例を示すフロー図である。
【図９】重畳量の他の設定例を示すフロー図である。
【図１０】重畳量の更に他の設定例を示すフロー図である。
【発明を実施するための形態】
【００２６】
以下に本発明の実施形態を、図面を参照しながら説明する。なお、ここで示す実施形態は一例であり、本発明はここに示す実施形態に限定されるものではない。
【００２７】
〈１．装置構成について〉
図１は、本発明の一実施形態に係る光ディスク装置１を示す構成図である。光ディスク装置１は、テレビジョン放送にかかるデータをＢＤ等の光ディスク１００に記録することができる。また、光ディスク装置１は、光ディスク１００に記録されたデータを再生し、この光ディスク装置１に接続された図示しない外部装置（例えば液晶モニター）に出力することができる。
【００２８】
図１に示すように、光ディスク装置１は、光ピックアップ部１１、ピックアップ・ドライバー１２、位置制御部１３、再生信号処理部１４、入力Ｉ／Ｆ１５、及び制御部１６を備える。
【００２９】
光ピックアップ部１１は、レーザー光を照射する半導体レーザー２１、レーザー光の光路を形成する光学系としての対物レンズ２２、偏向ビームスプリッタ２３、及び受光部２４を備える。
【００３０】
半導体レーザー２１は、ピックアップ・ドライバー１２から入力される駆動信号に応じて所定周期で発振し、レーザー光を照射させる。半導体レーザー２１は、例えばＤＶＤに対応する６５０ｎｍ帯のレーザー光や、ＣＤに対応する７８０ｎｍ帯のレーザー光を照射できるレーザーダイオードを含む。
【００３１】
なお本実施形態では、レーザーを照射する装置の一例として半導体レーザー２１を例示しているが、これ以外の装置によりレーザー光を照射する形態でもよい。
【００３２】
対物レンズ２２及び偏光ビームスプリッタ２３は、半導体レーザー２１から照射されるレーザー光を光ディスク１００に導くとともに、レーザー光が光ディスク１００で反射することにより形成される戻り光を受光部２４に導く。
【００３３】
受光部２４は、フォトダイオード等の受光素子を含み、受光した光を電気信号に変換して出力する。受光部２４は、例えば四分割された受光領域を備えており、領域ごとに個別に光電変換を行って電気信号を出力することが可能である。これにより、再生信号ＲＦや、各種制御信号を出力することが可能である。
【００３４】
ピックアップ・ドライバー１２は、半導体レーザー２１を駆動する駆動信号を生成する。この駆動信号は、高周波重畳法により生成される。高周波重畳法では、戻り光のノイズを低減することを目的として、元となる駆動信号に対して高周波信号を重畳することにより、駆動信号が生成される。
【００３５】
そのため、ピックアップ・ドライバー１２は、高周波信号を生成する高周波発生回路１２ａを備える。高周波発生回路１２ａは、制御部１６から入力される制御信号に応じて、所定の振幅の高周波信号を生成する。
【００３６】
位置制御部１３は、制御部１６から入力されるトラッキングエラー信号ＴＥやフォーカスエラー信号ＦＥに基づいて、対物レンズ２２の位置制御を行う。位置制御部１３は、対物レンズ２２の位置を変化させる２軸のアクチュエーターを備える。
【００３７】
位置制御部１３は、トラッキングエラー信号ＴＥに基づいて、対物レンズ２２を光ディスクのトラックに追従させるトラッキング制御を行う。また、位置制御部１３は、フォーカスエラー信号ＦＥに基づいて、対物レンズ２２の焦点距離を調整するフォーカス制御を行う。
【００３８】
再生信号処理部１４は、光ピックアップ部１１より入力される再生信号ＲＦ、及び制御信号を復調する。また再生信号処理部１４は、復調後の再生信号ＲＦに対して誤り訂正処理を行う。
【００３９】
入力Ｉ／Ｆ１５は、例えば、テレビジョン放送信号を取得するチューナーである。入力Ｉ／Ｆ１５により取得されたデータは、光ピックアップ部１１により光ディスク１００に書き込まれるデータに変換される。
【００４０】
制御部１６は、光ディスク装置１の駆動を統合的に制御する演算処理装置であり、例えばＤＳＰ（Digital Signal Processor）がこれに相当する。制御部１６は、再生信号処理部１４により復調された制御信号をもとに、トラッキングエラー信号ＴＥやフォーカスエラー信号ＦＥ等を生成し、位置制御部１３に出力する。また、制御部１６は、高周波発生回路１２ａに対して、高周波重畳における重畳量の変更を指示する機能を有する。
【００４１】
高周波重畳法では、高周波重畳振幅を変化させることで、リード用レーザーの発光レベルを変化させることができる。制御部１６は、高周波発生回路１２ａに対して所定の制御信号を出力することにより、高周波重畳振幅を設定する。この制御信号を受けた高周波発生回路１２ａは、指定された高周波重畳振幅による高周波信号の生成を開始する。
【００４２】
〈２．発光量とエラーレイトの関係について〉
次に、本実施形態におけるリード用レーザーの発光量とエラーレイトとの関係について説明する。図２は、通常の高周波重畳がなされたリード用レーザーの発光量を示している。また図３は、１／２の高周波重畳がなされたリード用レーザーの発光量を示している。また図４は、高周波重畳がなされていないリード用レーザーの発光量を示している。
【００４３】
図５〜図７は、上記の各リード用レーザーを２４時間連続照射した後、ＬＤＣ（Long Distance Code）を用いて計測したエラーレイトを示している。図５は通常の高周波重畳がなされた場合のエラーレイト、図６は１／２の高周波重畳がなされた場合のエラーレイト、図７は高周波重畳がなされていない場合のエラーレイトを示している。
【００４４】
図５〜図７に示すように、待機時に重畳量を減らし、ディスク面に当たるレーザーパワーを低減させるほど、光ディスクの劣化を低減することが可能である。しかしながら高周波重畳を完全にオフした場合、一時停止状態においてサーボ外れが発生する可能性がある。
【００４５】
そこで本実施形態の制御部１６が、一時停止状態において、所定条件に応じて高周波重畳の重畳量を変更する制御を行う。
【００４６】
〈３．高周波の重畳量制御について〉
まず前提として、高周波重畳を常にオフした場合、サーボ外れが発生する可能性があるため、本実施形態では長時間の高周波重畳オフを行わず、これを一時的なものにとどめる。その上で、以下の条件に応じて、重畳量制御を行う。
【００４７】
なお以下では、高周波重畳に用いられる高周波信号の信号レベルを「レベルＡ」、通常時の高周波信号の信号レベル「レベルＭ」と記載する。なおレベルＭの具体的な値としては、例えば図２に示す通常状態のリード発光量となる高周波信号の信号レベルを用いるものとする。レベルＭはレベルＡの最大値であり、レベルＡ≦レベルＭの関係が常に成り立つ。
【００４８】
（１）レベルＡを、一時停止時間の長さに応じて変更する。
（２）レベルＡを、再生が実施されている光ディスクの種別またはレイヤーに応じて変更する。
（３）レベルＡを、光ディスクの再生状態（一時停止、メニュー画面表示等）に応じて変更する。
（４）レベルＡを、一時停止中におけるサーボ外れ発生に応じて変更する。
【００４９】
パターン（１）では、制御部１６は、一時停止時間が長くなるにつれ、重畳量を低減させるよう、高周波発生回路１２ａを制御する。例えば、レベルＡの初期値をレベルＭとし、所定の単位時間（例えば１０分）が経過する度に、重畳量を所定量（例えばレベルＭの１０％）低減させる。なお、所定量は全て同一量でなくてもよく、例えば、所定の単位時間が経過する毎に所定量を異なる量にしてもよい。これにより、一時停止時間が短時間である場合はサーボの安定性を優先する。一方、一時停止時間が長くなるのに応じて、レベルＡを低減させ、劣化防止を優先するようにする。
【００５０】
パターン（２）では、制御部１６は、予め検出した光ディスクの種別、及び再生停止中のレイヤーに応じて重畳量を低減させるよう、高周波発生回路１２ａを制御する。例えば、リード用レーザーによる記録面の劣化が発生しやすい光ディスク（例えばＢＤＸＬ（登録商標））では、レベルＡを０〜レベルＭの１／２の間まで低減させ、劣化防止を優先する。一方、記録面の劣化が発生しにくい光ディスク（例えばＤＶＤや記録層が１層または２層しかないＢＤ（登録商標））では、レベルＡをレベルＭの１／２以上に維持し、サーボ安定性を優先する。
【００５１】
またリード用レーザーによる記録面の劣化が発生しやすいレイヤーでは、レベルＡをレベルＭの１／４以下まで低減させ、劣化防止を優先する。一方、リード用レーザーによる記録面の劣化が発生しにくいレイヤーでは、レベルＡをレベルＭの１／４以上１／２以下に維持し、サーボ安定性を優先する。
【００５２】
パターン（３）では、光ディスクの再生状態に応じて変更する。通常の再生処理が行われていない状態においてリード用レーザーが照射され続ける状況としては、以下のものが考えられる。
・再生中の一時停止指示による一時停止状態
・メニュー画面に遷移した場合のメニュー表示状態
・リジューム停止指示を受けた場合のリジューム停止状態
【００５３】
なお、メニュー表示状態においては、メニュー画面において再生指示がなされた場合に迅速に再生を開始できるよう、サーボをオンにしてトラックオン状態を維持している。また、リジューム停止状態においては、ユーザーからみると再生は停止されているが、リジューム停止位置から迅速に再生開始できるよう、サーボをオンにしてトラックオン状態を維持している。
【００５４】
上記のうち、装置の仕様により、強制解除がなされるまでの時間が短い状態ほど、レベルＡを高く維持し、サーボ安定性を優先する。一方、強制解除がなされるまでの時間が短い、または強制解除がなされない状態ほど、レベルＡを低くし、劣化防止を優先する。
【００５５】
例えば上記の例で、リジューム停止状態における強制解除までの時間が最も短く、一時停止状態における強制解除までの時間が最も長かったとする。この場合、リジューム停止状態ではレベルＡをレベルＭの１／２以上に維持する。一方、一時停止状態では、レベルＡを０〜レベルＭの１／２の間まで低減させる。
【００５６】
パターン（４）では、レベルＡが低く、一時停止中等にサーボ外れが検知された場合に、レベルＡを所定量（例えばレベルＭの１０％）だけ増加させる。増加後も再びサーボ外れが検知された場合、サーボ外れが発生するたびに、レベルＡを所定量だけ増加させる。なお、再生中の光ディスクが交換された場合、レベルＡを初期値に戻す。
【００５７】
以上に説明したパターン（１）〜（４）のいずれを用いるかに関しては、例えば、予め光ディスク装置１の工場出荷時等において定められている形態でもよいし、制御部１６が設定画面をＯＳＤ表示し、ユーザー選択を待ち受け、不図示の操作部により受け付けられた選択結果に基づいて決定する形態でもよい。或いは、パターン（１）〜（４）のいずれかを組み合わせて実施する形態でもよい。
【００５８】
例えば、パターン（１）とパターン（２）とパターン（４）とを組み合わせて実施する形態では、制御部１６は図８に示す制御を行うようにすればよい。待機状態すなわちレーザー光の照射が実施されつつ光ディスクの再生が停止されている状態が開始されると、まず、制御部１６は、光ディスクの種別またはレイヤーに応じて重畳量を低減させる（ステップＳ１）。その後、制御部１６は、サーボ外れを検知したか否かを判定する（ステップＳ２）。なお、サーボ外れを１回検出しただけで、サーボ外れを検知したと判定しても良く、規定時間内にサーボ外れを規定回数以上検出した場合に、サーボ外れを検知したと判定しても良い。サーボ外れを検知したと判定した場合、制御部１６は、重畳量を所定量増加させ（ステップＳ３）、その後ステップＳ２の処理に戻る。一方、サーボ外れを検知していないと判定した場合、制御部１６は、一定時間経過したか否かを判定する（ステップＳ４）。一定時間経過していないと判定した場合、制御部１６はステップＳ２の処理に戻る。また、一定時間経過したと判定した場合、制御部１６は計時をリセットし再び計時を開始するとともに重畳量を所定量減少させ（ステップＳ５）、その後ステップＳ２の処理に戻る。なお、ステップＳ３での所定量とステップＳ５での所定量とは同一であっても異なっていても良い。また、待機状態の解除が実施されると、図８に示す制御を終了させる割り込み処理が実行され、図８に示す制御が終了する。
【００５９】
また例えば、待機状態における光ディスクの劣化を低減することを最優先させ、重畳する高周波信号の信号レベルを０に設定する制御とパターン（４）とを組み合わせて実施する形態では、制御部１６は図９に示す制御を行うようにすればよい。待機状態すなわちレーザー光の照射が実施されつつ光ディスクの再生が停止されている状態が開始されると、まず、制御部１６は、重畳量を０に低減させる（ステップＳ１１）。その後、制御部１６は、サーボ外れを検知したか否かを判定する（ステップＳ１２）。なお、サーボ外れを１回検出しただけで、サーボ外れを検知したと判定しても良く、規定時間内にサーボ外れを規定回数以上検出した場合に、サーボ外れを検知したと判定しても良い。サーボ外れを検知したと判定した場合、制御部１６は、重畳量を所定量増加させ（ステップＳ１３）、その後ステップＳ１２の処理に戻る。一方、サーボ外れを検知していないと判定した場合、制御部１６は、重畳量を変更させずにステップＳ１２の処理に戻る。なお、待機状態の解除が実施されると、図９に示す制御を終了させる割り込み処理が実行され、図９に示す制御が終了する。
【００６０】
また例えば、パターン（１）とパターン（４）とを組み合わせて実施する形態では、制御部１６は図１０に示す制御を行うようにすればよい。待機状態すなわちレーザー光の照射が実施されつつ光ディスクの再生が停止されている状態が開始されると、まず、制御部１６は、一定時間経過したか否かを判定する（ステップＳ２１）。一定時間経過していないと判定した場合、制御部１６はステップＳ２１の処理に戻る。また、一定時間経過したと判定した場合、制御部１６は計時をリセットし再び計時を開始するとともに重畳量を所定量減少させ（ステップＳ２２）、その後サーボ外れを検知したか否かを判定する（ステップＳ２３）。なお、サーボ外れを１回検出しただけで、サーボ外れを検知したと判定しても良く、規定時間内にサーボ外れを規定回数以上検出した場合に、サーボ外れを検知したと判定しても良い。サーボ外れを検知していないと判定した場合、ステップＳ２１の処理に戻る。一方、サーボ外れを検知したと判定した場合、制御部１６は、重畳量を所定量増加させ（ステップＳ２４）、その後ステップＳ２１の処理に戻る。なお、待機状態の解除が実施されると、図１０に示す制御を終了させる割り込み処理が実行され、図１０に示す制御が終了する。
【００６１】
以上に説明した本実施形態によれば、光ディスク装置１は、レーザー光を照射する半導体レーザー２１とレーザー光の戻り光を受光する受光部２４とを含む光ピックアップ部１１を有する。また、高周波信号を生成する高周波発生回路１２ａと、半導体レーザー２１を駆動する駆動信号を高周波信号に基づいて生成するピックアップ・ドライバー１２とを有する。また、レーザー光の照射が実施されつつ光ディスクの再生が停止されている状態において、重畳する高周波信号の信号レベルを、０を除く第１の信号レベルに設定して再生が行われている状態よりも小さくよう高周波発生回路１２ａを制御することができる制御部１６を有する。。
【００６２】
このため、ディスク挿入後のメニュー画面での待機状態、ユーザーによる一時停止状態や、またはリジューム停止状態等において、光ディスクの劣化を低減することができる。また、これらの状態においてサーボオフやレーザーオフを行う構成と比較して、短時間で再生処理へ移行することができる。
【００６３】
また本実施形態によれば、制御部１６は、レーザー光の照射が実施されつつ再生が停止されている状態において、重畳する高周波信号の信号レベルを、０に設定するよう高周波生成回路１２ａを制御することもできる。
【００６４】
このため、待機状態におけるサーボ外れを低減することよりも、待機状態における光ディスクの劣化を低減することを優先することができる。
【００６５】
また本実施形態によれば、パターン（１）では、制御部１６は、レーザー光の照射が実施されつつ再生が停止されている状態において、重畳する高周波信号の信号レベルを、再生が停止されている時間の長さに応じて低減して高周波重畳を行うよう高周波生成回路１２ａを制御する。
【００６６】
このため、再生が停止されている時間が短時間である場合は待機状態におけるサーボ外れを低減することを優先し、再生が停止されている時間が長くなるほど待機状態における光ディスクの劣化を低減することをより優先することができる。
【００６７】
また本実施形態によれば、パターン（２）では、制御部１６は、レーザー光の照射が実施されつつ再生が停止されている状態において、重畳する高周波信号の信号レベルを、前記再生が停止されている光ディスクの種別またはレイヤーに応じて増減して高周波重畳を行うよう高周波生成回路１２ａを制御する。
【００６８】
このため、リード用レーザーによる記録面の劣化が発生しやすい光ディスクやレイヤーでは、待機状態における光ディスクの劣化を低減することを優先し、リード用レーザーによる記録面の劣化が発生しにくい光ディスクやレイヤーでは、待機状態におけるサーボ外れを低減することを優先することができる。
【００６９】
また本実施形態によれば、パターン（３）では、制御部１６は、レーザー光の照射が実施されつつ再生が停止されている状態において、重畳する高周波信号の信号レベルを、光ディスク装置１の動作状態に応じて増減して高周波重畳を行うよう高周波生成回路１２ａを制御する。
【００７０】
このため、光ディスクの劣化が大きくなるおそれのある動作状態（例えば、待機状態における強制解除までの時間が長い動作状態）ほど、待機状態における光ディスクの劣化を低減することを優先することができる。
【００７１】
また本実施形態によれば、パターン（４）では、制御部１６は、レーザー光の照射が実施されつつ再生が停止されている状態において、重畳する高周波信号の信号レベルを低減した後に光ピックアップ部のサーボ外れを検知した場合に、重畳する高周波信号の信号レベルを増加して高周波重畳を行うよう高周波生成回路１２ａを制御する。
【００７２】
このため、サーボ外れが発生した場合に、待機状態におけるサーボ外れを低減することを優先することができる。
【００７３】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００７４】
従って本発明は、以下の形態にも適用可能である。
【００７５】
（Ａ）上記実施形態では、本発明の振幅変更処理に関わる各機能がマイクロプロセッサ等の演算処理装置上でプログラムを実行することにより実現されているが、これら各機能が複数の回路により実現される形態でもよい。
【００７６】
（Ｂ）上記実施形態では、リード用レーザ光が照射され続ける状態として、再生中の一時停止、メニュー画面表示、およびリジューム停止を例示しているが、これ以外の待機状態において、重畳する高周波信号の信号レベルを、０を除く第１の信号レベルに設定して再生が行われている状態よりも小さくする実施の形態でもよい。
【００７７】
（Ｃ）本発明を適応する装置としては、実施の形態に示した構成以外にも、例えば光ディスク装置を備えた表示装置、パーソナルコンピュータ、携帯型端末装置、または車載用のナビゲーション装置等であってもよい。
【符号の説明】
【００７８】
１    光ディスク装置
１１    光ピックアップ部
１２    ピックアップ・ドライバー
１２ａ    高周波発生回路（高周波生成部の一例）
１３    位置制御部
１４    再生信号処理部
１５    入力Ｉ／Ｆ
１６    制御部
２１    半導体レーザー（レーザー照射部の一例）
２２    対物レンズ
２３    偏向ビームスプリッタ
２４    受光部
１００    光ディスク
【図１】
2014197440.tif 000003
【図２】
2014197440.tif 000004
【図３】
2014197440.tif 000005
【図４】
2014197440.tif 000006
【図５】
2014197440.tif 000007
【図６】
2014197440.tif 000008
【図７】
2014197440.tif 000009
【図８】
2014197440.tif 000010
【図９】
2014197440.tif 000011
【図１０】
2014197440.tif 000012